(57)【要約】【課題】室内への採光及び太陽光発電の双方を適切に行うことができるブラインド内蔵複層ガラス装置を提供することである。【解決手段】枠体１１で２枚のガラス１２を支持して形成された複層ガラス本体の中空部１３に複数個のルーバー１４を有したブラインドを配置する。ブラインドのルーバー１４の一方面には光を電気に変換する太陽電池セル１６を装着し、ルーバー１４の他方面に光を反射してその反射光を室内に取り込むための採光面部を形成する。これにより、従来の複層ガラスの機能（断熱・防音・防犯など）に加えて、室内への採光及び太陽光発電の双方を適切に行うとともに、デザイン選択の自由や戸締まり機能などを持たせる【選択図】図１
2007231613.tif 000002
【特許請求の範囲】
【請求項１】
枠体で２枚のガラスを支持して形成され中空部を有する複層ガラス本体と、前記複層ガラス本体の中空部に配置され複数個のルーバーを有したブラインドと、前記ルーバーの一方面に装着され光を電気に変換する太陽電池セルと、前記ルーバーの他方面に形成され光を反射してその反射光を室内に取り込むための採光面部とを備えたことを特徴とするブラインド内蔵複層ガラス装置。
【請求項２】
前記ルーバーを３６０°の範囲で回動させて前記ブラインドの開閉操作を行う電動機を備えたことを特徴とする請求項１記載のブラインド内蔵複層ガラス装置。
【請求項３】
複数個のルーバーのうちのいずれかのルーバーは、一方面及び他方面のいずれかに採光面部が形成されたものであることを特徴とする請求項１記載のブラインド内蔵複層ガラス装置。
【請求項４】
前記室内の照度や前記太陽電池セルの発電量に基づいて前記電動機を駆動し前記ブラインドのルーバー角度を調整する制御装置を備えたことを特徴とする請求項１ないし３のいずれか１項に記載のブラインド内蔵複層ガラス装置。
【請求項５】
前記制御装置は、前記室内の照度または前記太陽電池セルの発電量が予め設定された設定値になるように前記ブラインドのルーバー角度を調整することを特徴とする請求項４記載のブラインド内蔵複層ガラス装置。
【請求項６】
前記制御装置は、前記室内の照度または前記太陽電池セルの発電量が最大値になるように前記ブラインドのルーバー角度を調整することを特徴とする請求項４記載のブラインド内蔵複層ガラス装置。
【請求項７】
前記制御装置は、前記室内の照度及び前記太陽電池セルの発電量を変数とする予め定めた関数の値が最大値になるように前記ブラインドのルーバー角度を調整することを特徴とする請求項４記載のブラインド内蔵複層ガラス装置。
【請求項８】
前記制御装置は、前記室内の人の居る場所の照度が最大値になるように前記ブラインドのルーバー角度を調整することを特徴とする請求項１ないし４のいずれか１項に記載のブラインド内蔵複層ガラス装置。
【請求項９】
前記制御装置は、前記室内の人の居る場所の照度が最大値になるように前記ブラインドのルーバー角度を調整し、前記室内の人の居る場所の照度が所定値以下のときは室内の照明器具を点灯させることを特徴とする請求項１ないし４のいずれか１項に記載のブラインド内蔵複層ガラス装置。
【発明の詳細な説明】
【技術分野】
【０００１】
本発明は、複層ガラス本体の中空部にブラインドを内蔵したブラインド内蔵複層ガラス装置に関する。
【背景技術】
【０００２】
一般に、戸建て・美術館・図書館・大型ビル・マンション等の各建物で使用されている窓は、明かり取りや風通し等のためであり、そのほとんどが普通のガラス窓である。そして、光量調整を行う場合はカーテンやブラインドを使用し、防犯対策のためには雨戸を使用している。
【０００３】
近年においては普通のガラスに代えてペアガラス（登録商標）等の複層ガラスが使用されるようになり、また二重サッシも広く採用されるなど、各建物の窓は多様化している。例えば、遮熱や遮光のためのルーバーを内蔵した複層ガラスがあり、その複層ガラスの設置傾斜勾配に関係なくルーバーをガラス面に接触しないようにしたものがある（例えば、特許文献１参照）。
【０００４】
一方、地球環境に優しい太陽光発電が注目されている。小型の太陽電池は電卓とか腕時計で使用されているが、中規模以上の本格的な太陽光発電設備は、設置場所や設置費用等の面で普及が遅れており、例えば、設置場所に関しては、太陽電池セルを屋根の上に乗せたりしているが、今もって普及は遅れている。そこで、光量調整を行うためのブラインドに太陽光発電機能を持たせ、日よけのためにカットしていた光を太陽光発電に利用するようにしたものがある（例えば、特許文献２参照）。
【特許文献１】特開２００１−３２６４９号公報
【特許文献２】特開２００３−２０１７９５号公報
【発明の開示】
【発明が解決しようとする課題】
【０００５】
しかし、特許文献１のものは、ルーバーを内蔵した複層ガラスであるので遮熱や遮光は可能であり防犯対策も取れるが、遮光した光を有効活用できていない。一方、特許文献２のものは、日よけのためにカットしていた光を太陽光発電に利用することができるが、ガラス窓や防犯対策のために雨戸を別に設けなければならない。
【０００６】
また、室内に取り込む採光量を調整するには、ブラインドの開閉を手動で行わなければならない。従って、日射量の変化に伴ってその都度、ブラインドの開閉操作が必要となる。一方、太陽電池での発電電力は日射量の変化やブラインドの開閉状態により変化するので、太陽電池での発電を優先させる場合には、これらを考慮して手動でブラインドの開閉操作を行わなければならない。逆に、室内への採光を優先させる場合には、室内の照度が所定の照度に保たれるように、手動でブラインドの開閉操作を行わなければならない。
【０００７】
本発明の目的は、室内への採光及び太陽光発電の双方を適切に行うことができるブラインド内蔵複層ガラス装置を提供することである。
【課題を解決するための手段】
【０００８】
請求項１の発明に係わるブラインド内蔵複層ガラス装置は、枠体で２枚のガラスを支持して形成され中空部を有する複層ガラス本体と、前記複層ガラス本体の中空部に配置され複数個のルーバーを有したブラインドと、前記ルーバーの一方面に装着され光を電気に変換する太陽電池セルと、前記ルーバーの他方面に形成され光を反射してその反射光を室内に取り込むための採光面部とを備えたことを特徴とする。
【０００９】
請求項２の発明に係わるブラインド内蔵複層ガラス装置は、請求項１の発明において、前記ルーバーを３６０°の範囲で回動させて前記ブラインドの開閉操作を行う電動機を備えたことを特徴とする。
【００１０】
請求項３の発明に係わるブラインド内蔵複層ガラス装置は、請求項１の発明において、複数個のルーバーのうちのいずれかのルーバーは、一方面及び他方面のいずれかに採光面部が形成されたものであることを特徴とする。
【００１１】
請求項４の発明に係わるブラインド内蔵複層ガラス装置は、請求項１ないし３のいずれか１項の発明において、前記室内の照度や前記太陽電池セルの発電量に基づいて前記電動機を駆動し前記ブラインドのルーバー角度を調整する制御装置を備えたことを特徴とする。
【００１２】
請求項５の発明に係わるブラインド内蔵複層ガラス装置は、請求項４の発明において、前記制御装置は、前記室内の照度または前記太陽電池セルの発電量が予め設定された設定値になるように前記ブラインドのルーバー角度を調整することを特徴とする。
【００１３】
請求項６の発明に係わるブラインド内蔵複層ガラス装置は、請求項４の発明において、前記制御装置は、前記室内の照度または前記太陽電池セルの発電量が最大値になるように前記ブラインドのルーバー角度を調整することを特徴とする。
【００１４】
請求項７の発明に係わるブラインド内蔵複層ガラス装置は、請求項４の発明において、前記制御装置は、前記室内の照度及び前記太陽電池セルの発電量を変数とする予め定めた関数の値が最大値になるように前記ブラインドのルーバー角度を調整することを特徴とする。
【００１５】
請求項８の発明に係わるブラインド内蔵複層ガラスは、請求項１ないし４のいずれか１項の発明において、前記制御装置は、前記室内の人の居る場所の照度が最大値になるように前記ブラインドのルーバー角度を調整することを特徴とする。
【００１６】
請求項９の発明に係わるブラインド内蔵複層ガラスは、請求項１ないし４のいずれか１項の発明において、前記制御装置は、前記室内の人の居る場所の照度が最大値になるように前記ブラインドのルーバー角度を調整し、前記室内の人の居る場所の照度が所定値以下のときは室内の照明器具を点灯させることを特徴とする。
【発明の効果】
【００１７】
本発明によれば、広い面積を確保できる場所として最近多様化されている窓に着目し、複層ガラス内にブラインドを組み込み、ブラインドのルーバーの一方面に太陽電池セルを装着し、他方面に光を反射してその反射光を室内に取り込むための採光面部を形成したので、室内への採光及び太陽光発電の双方を適切に行うことができるとともに、デザイン選択の自由や戸締まり機能などを持たせることができる。
【００１８】
また、太陽電池による発電電力と採光による照度とをブラインドのルーバー角度を調整して制御を行うので、室内への採光及び太陽光発電の双方を適切に制御できる。これにより、快適で新しい生活スタイルを実現でき、太陽光発電の普及を図り、ひいては環境負荷低減にも寄与できる。
【発明を実施するための最良の形態】
【００１９】
（第１の実施の形態）
図１は本発明の第１の実施の形態に係わるブラインド内蔵複層ガラス装置の断面図、図２は図１の矢印Ａ方向からの正面図である。図１に示すように、複層ガラス本体は枠体１１で２枚のガラス１２を支持して形成され、枠体１１及び２枚のガラス１２で形成される中空部１３にブラインドを内蔵している。ブラインドは複数個のルーバー１４を有し、各々のルーバー１４は回動軸１５に固定され回動軸１５の回動により開閉するように形成されている。
【００２０】
各々のルーバー１４の一方面には太陽電池セル１６がそれぞれ装着され、この太陽電池セル１６により光を電気に変換し、図示省略の蓄電池に蓄電し負荷に電力を供給する。また、ルーバー１４の他方面には採光面部１７が形成され、この採光面部１７で光を反射してその反射光を室内に取り込む。図１では、すべてのルーバー１４に太陽電池セル１６を装着したものを示しているが、複数個のルーバー１４のうちのいずれかのルーバー１４は、太陽電池セル１６を装着せずに通常のガラス面としてもよい。これにより、通常の窓ガラスの視界感を確保でき、室内環境を向上させることができる。
【００２１】
図２に示すように、枠体１１の内部にはブラインドの開閉操作を行う電動機１８が設けられ、電動機１８により駆動機構１９を駆動してブラインドのルーバー１４の角度を３６０°の範囲で回動させることができるようになっている。ルーバー１４の角度を３６０°の範囲で回動できるようにしているのは、ルーバー１４の一方面には太陽電池セル１６を装着し、ルーバー１４の他方面には採光面部１７を形成していることから対称ではなく、ルーバー１４の角度変化による発電量や採光状態は３６０°の範囲で異なる状態となるからである。
【００２２】
駆動機構１９は、例えば電動機１８の駆動により各々のルーバー１４が同一方向に同一角度だけ連動して動くようなギア機構を有している。これにより、複層ガラス本体内の各々のルーバー１４は同一の動きをする。また、ルーバー１４の上下方向への電動による移動も可能となっており、これにより、ルーバー１４の上方向への巻き上げや下方向への巻き下げが行われる。また、枠体１１の内部には、太陽電池セルで発電電力を検出する電力計２０が設けられている。
【００２３】
図３はルーバー１４の断面図である。ルーバー１４の材質は、防犯・防音・遮光を考慮し合わせガラスを使用する。これにより、ルーバー１４に強度を持たせる。また、ルーバー１５の一方面の合わせガラスの表面に太陽電池セル１６を蒸着させ、他方面は合わせガラス面のままとし、合わせガラスの中間層にはフィルター２１を入れて他方面に採光面部１７を形成する。合わせガラスの他方面に形成される採光面部１７は、中間層に挿入するフィルター２１により光機能を調整でき、また、好みの色合いやデザイン性を有したものを採用できる。例えば、フィルター２１に絵や文字を記載してデザイン性を演出できる。これにより、発電や採光をしつつ多彩なブラインド形態を楽しむことができる。
【００２４】
このように、ルーバー１４は、その一方面に装着された太陽電池セル１６により発電し、ルーバー１４の他方面の合わせガラスの採光面部１７により室内の奥まで光を採光できるようにしている。
【００２５】
図４は本発明の第１の実施の形態に係わるブラインド内蔵複層ガラス装置の全体構成図である。室内の所定場所には照度計２２が設けられ、照度計２２で計測された室内の照度は操作パネル２３に入力され操作パネル２３の表示部に表示される。また、太陽発電セル１６で発電された電力は電力計２０で検出され、検出された電力は操作パネル２３に入力され同様に表示部に表示される。
【００２６】
本発明の第１の実施の形態では、複層ガラス本体の中空部１３に収納の複数個のルーバー１４に装着された太陽電池セル１６を直列に接続して発電電力を取り出すようにしている。従って、電力計２０で計測される電力はこれら直列接続の太陽電池セル１６で発電された電力である。
【００２７】
操作パネル２３には、ブラインドのルーバー１４の開閉操作につき手動と自動との選択スイッチが設けられており、手動が選択された場合には、操作パネル２３の手動操作ＰＢにより制御装置２４を介して電動機１８を駆動し、ルーバー１４の操作を手動で行う。一方、自動が選択された場合には、制御装置は自動制御の種別を判別してその自動制御の種別に従って電動機１８を駆動し、ルーバー１４の操作を自動制御する。
【００２８】
本発明の第１の実施の形態では、手動操作の種別として、ルーバー１４の巻上・巻下操作、ルーバー１４の正転・逆転操作が用意され、自動制御の種別として、設定値制御、最大値制御、二要素制御の３つの自動制御種別が用意されているとする。
【００２９】
ルーバー１４の巻上・巻下操作は上下いずれかの方向にルーバー１４を巻き上げまたは巻き下げる操作であり、ルーバー１４の正転・逆転操作はルーバーの開閉角度を調整する操作である。
【００３０】
設定値制御は、太陽電池セル１６の発電量あるいは室内の照度が予め定められた設定値になるように制御する制御種別であり、最大値制御は太陽電池セル１６の発電量あるいは室内の照度が最大値になるように制御する制御種別であり、二要素制御は室内の照度及び太陽電池セルの発電量を変数とする予め定めた関数の値が最大値になるようにルーバー角度を調整する制御である。
【００３１】
図５は制御装置２４の処理内容を示すフローチャートである。まず、操作パネル２３の選択スイッチで自動が選択されているか否かを判定する（Ｓ１）。自動が選択され自動モードであるときは自動制御の種別を判定する。すなわち、自動制御種別は設定値制御であるか否かを判定し（Ｓ２）、設定値制御である場合には設定値制御を行う（Ｓ３）。ステップＳ２の判定で設定値制御でない場合には二要素制御か否かを判定し（Ｓ４）、二要素制御である場合には二要素制御を行う（Ｓ５）。ステップＳ４の判定で二要素制御でない場合には最大値制御であると判断し（Ｓ６）、最大値制御を行う（Ｓ７）。すなわち、選択スイッチで自動が選択されているが、設定値制御または二要素制御のいずれも選択されていない場合に最大値制御を行う。
【００３２】
一方、ステップＳ１の判定で自動が選択されていない場合には、手動であると判断する（Ｓ８）。これは、選択スイッチにより選択される制御モードは自動と手動の二つであり、自動が選択されていない場合には手動操作であると判断できるからである。手動操作では、巻上・巻下ＰＢがオンか否かを判定する（Ｓ９）。巻上・巻下ＰＢがオンであるときは、巻き上げか巻き下げかを判別し、巻き上げまたは巻き下げの操作を行う（Ｓ１０）。例えば、巻き下げの場合には、図６に示すように、ブラインドのルーバー１４を上方に巻き上げる。
【００３３】
ステップＳ９の判定で、巻上・巻下ＰＢがオンでないときは、正転・逆転ＰＢがオンか否かを判定する（Ｓ１１）。正転・逆転ＰＢがオンであるときは、正転か逆転かを判別し、正転または逆転の操作を行う（Ｓ１２）。例えば、戸締まりをする場合には、図７に示すように、ルーバー１４をガラス１２に対して平行の位置に調整し、ブラインドのルーバー１４を雨戸やカーテン代わりに使用する。これにより、防音・防犯・プライバシー対策を講じることができる。
【００３４】
図８は、図５のステップＳ３の設定値制御の内容を示すフローチャートである。まず、電力設定値制御であるか否かを判定する（Ｓ１）。電力設定値制御であるか否かの判定は操作パネル２３で電力設定値制御が選択されているか否かで判定する。電力設定値制御である場合には操作パネル２３に設定されている電力設定値Ｐ０を読み込むとともに（Ｓ２）、電力計２０で測定された電力値Ｐを読み込む（Ｓ３）。そして、電力値Ｐと電力設定値Ｐ０との偏差｜Ｐ−Ｐ０｜が所定値ε１以内であるか否かを判定し（Ｓ４）、偏差｜Ｐ−Ｐ０｜が所定値ε１以内であるときは、ルーバー角度を現状の角度で固定する（Ｓ５）。
【００３５】
ステップＳ４の判定で偏差｜Ｐ−Ｐ０｜が所定値ε１以内でないときはルーバー角度を所定角度だけ変化させる（Ｓ６）。そして、ルーバー１４は１回転したか否かを判定して（Ｓ７）、１回転していないときはステップＳ３の処理に戻る。すなわち、ルーバー１４が１回転するまでステップＳ３〜Ｓ６の処理を繰り返し行い、変化させたルーバー角度での電力値Ｐを記憶する。
【００３６】
そして、ルーバー１４が１回転したときは、ルーバー１４が１回転して得られた各々のルーバー角度での電力値Ｐのうちで偏差｜Ｐ−Ｐ０｜が最小となるルーバー角度を抽出し、そのルーバー角度で固定する（Ｓ８）。これにより、偏差｜Ｐ−Ｐ０｜が所定値ε１以内を満たさない場合には、偏差｜Ｐ−Ｐ０｜が最小となるルーバー角度に制御される。
【００３７】
一方、ステップＳ１の判定で電力設定値制御でない場合には、照度設定値制御か否かを判定する（Ｓ９）。照度設定値制御でない場合には処理を終了する。すなわち、設定値制御が選択されているが、電力設定値制御あるいは照度設定値制御のいずれも選択されていない場合には処理を終了する。
【００３８】
照度設定値制御である場合には操作パネル２３に設定されている照度設定値Ｌ０を読み込むとともに（Ｓ１０）、照度計２２で測定された照度値Ｌを読み込む（Ｓ１１）。そして、照度値Ｌと照度設定値Ｌ０との偏差｜Ｌ−Ｌ０｜が所定値ε２以内であるか否かを判定し（Ｓ１２）、偏差｜Ｌ−Ｌ０｜が所定値ε２以内であるときは、ルーバー角度を現状の角度で固定する（Ｓ１３）。
【００３９】
ステップＳ１１の判定で偏差｜Ｌ−Ｌ０｜が所定値ε２以内でないときはルーバー角度を所定角度だけ変化させる（Ｓ１４）。そして、ルーバー１４は１回転したか否かを判定して（Ｓ５）、１回転していないときはステップＳ１１の処理に戻る。すなわち、ルーバー１４が１回転するまでステップＳ１１〜Ｓ１４の処理を繰り返し行い、変化させたルーバー角度での照度値Ｌを記憶する。
【００４０】
そして、ルーバー１４が１回転したときは、ルーバー１４が１回転して得られた各々のルーバー角度での照度値Ｌのうちで偏差｜Ｌ−Ｌ０｜が最小となるルーバー角度を抽出し、そのルーバー角度で固定する（Ｓ１６）。これにより、偏差｜Ｌ−Ｌ０｜が所定値ε２以内を満たさない場合には、偏差｜Ｌ−Ｌ０｜が最小となるルーバー角度に制御される。
【００４１】
これにより、電力設定値制御の場合には、そのときの日照条件に合わせて太陽電池セル１６での発電電力値Ｐが電力設定値Ｐ０になるようにルーバー角度が調整される。一方、照度設定値制御の場合には、そのときの日照条件に合わせて室内の照度値Ｌが照度設定値Ｌ０になるようにルーバー角度が調整される。
【００４２】
次に、図９は、図５のステップＳ７の最大値制御の内容を示すフローチャートである。まず、電力最大値制御か否かを判定する（Ｓ１）。電力最大値制御であるか否かの判定は操作パネル２３で電力最大値制御が選択されているか否かで判定する。電力最大値制御である場合には、現時点の電力値Ｐ及びルーバー角度θを読み込み記憶する（Ｓ２）。そして、ルーバー角度θを所定角度だけ変化させ（Ｓ３）、ルーバー１４は１回転したか否かを判定し（Ｓ４）、１回転していないときはステップＳ２の処理に戻る。すなわち、ルーバー１４が１回転するまでステップＳ２、Ｓ３の処理を繰り返し行い、変化させたルーバー角度θでの電力値Ｐを記憶する。
【００４３】
ルーバー１４が１回転したときは、ルーバー１４が１回転して得られた各々のルーバー角度θでの電力値Ｐのうちで、その電力値Ｐが最大値Ｐｍのときのルーバー角度θ１でルーバー角度を固定する（Ｓ５）。これにより、現状の日照条件で太陽電池セル１６での発電電力Ｐは電力最大値Ｐｍとなる。
【００４４】
そして、日照条件が時間とともに変化することを考慮し、一定時間経過したか否かを判定する（Ｓ６）。この一定時間としては、日照条件の変化が想定される時間を設定する。一定時間を経過すると、電力最大値制御が終了しているか否かを判定し（Ｓ７）、電力最大値制御が終了していないときはステップＳ２に戻り、ステップＳ２〜Ｓ７の処理を繰り返し行う。これにより、日照条件の変化に追従した電力最大値制御が可能となる。
【００４５】
一方、ステップＳ１の判定で電力最大値制御でない場合には、照度最大値制御か否かを判定する（Ｓ８）。照度最大値制御でない場合には処理を終了する。すなわち、最大値制御が選択されているが、電力最大値制御あるいは照度最大値制御のいずれも選択されていない場合には処理を終了する。
【００４６】
照度最大値制御である場合には、現時点の照度値Ｌ及びルーバー角度θを読み込み記憶する（Ｓ９）。そして、ルーバー角度θを所定角度だけ変化させ（Ｓ１０）、ルーバー１４は１回転したか否かを判定し（Ｓ１１）、１回転していないときはステップＳ９の処理に戻る。すなわち、ルーバー１４が１回転するまでステップＳ９、Ｓ１０の処理を繰り返し行い、変化させたルーバー角度θでの照度値Ｌを記憶する。
【００４７】
ルーバー１４が１回転したときは、ルーバー１４が１回転して得られた各々のルーバー角度θでの照度値Ｌのうちで、照度値Ｌが最大値Ｌｍのときのルーバー角度θ２でルーバー角度を固定する（Ｓ１２）。これにより、現状の日照条件での照度値Ｌは照度最大値Ｌｍとなる。
【００４８】
そして、日照条件が時間とともに変化することを考慮し、一定時間経過したか否かを判定する（Ｓ１３）。この一定時間としては、日照条件の変化が想定される時間を設定する。一定時間を経過すると、照度最大値制御が終了しているか否かを判定し（Ｓ１４）、照度最大値制御が終了していないときはステップＳ９に戻り、ステップＳ９〜Ｓ１４の処理を繰り返し行う。これにより、日照条件の変化に追従した照度最大値制御が可能となる。
【００４９】
次に、図１０は、図５のステップＳ５の二要素制御の内容を示すフローチャートである。まず、二要素制御か否かを判定し（Ｓ１）、二要素制御でない場合には処理を終了する。すなわち、制御モードとして自動が選択されているが、二要素制御が選択されていない場合には処理を終了する。
【００５０】
二要素制御である場合には、現時点の電力値Ｐ、照度値Ｌ及びルーバー角度θを読み込み記憶する（Ｓ２）。そして、ルーバー角度θを所定角度だけ変化させ（Ｓ３）、ルーバー１４は１回転したか否かを判定し（Ｓ４）、１回転していないときはステップＳ２の処理に戻る。すなわち、ルーバー１４が１回転するまでステップＳ２、Ｓ３の処理を繰り返し行い、変化させたルーバー角度θでの電力値Ｐ及び照度値Ｌをそれぞれ記憶する。
【００５１】
ルーバー１４が１回転したときは、室内の照度値Ｌ及び太陽電池セルの発電電力Ｐを変数とする予め定めた関数Ｚ（Ｐ，Ｌ）の値が最大値になるルーバー角度θ３でルーバー角度を固定する（Ｓ５）。関数Ｚ（Ｐ，Ｌ）は、例えば下記の（１）式で示される。
【００５２】
Ｚ＝α・Ｐ＋β・Ｌ    …（１）
αは電力値Ｐの重み係数、βは照度値Ｌの重み係数である。この重み係数α、βの選択によって、電力値Ｐまたは照度値Ｌを均等にした二要素制御、あるいは電力値Ｐまたは照度値Ｌのいずれかを優先した二要素制御とすることができる。これにより、発電と採光との両面の中間取りさせた制御が可能となる。
【００５３】
次に、日照条件が時間とともに変化することを考慮し、一定時間経過したか否かを判定する（Ｓ６）。この一定時間としては、日照条件の変化が想定される時間を設定する。一定時間を経過すると、二要素制御が終了しているか否かを判定し（Ｓ７）、二要素制御が終了していないときはステップＳ２に戻り、ステップＳ２〜Ｓ７の処理を繰り返し行う。これにより、日照条件の変化に追従した二要素制御が可能となる。
【００５４】
ここで、一つの複層ガラス本体に収納される複数個のルーバーに対して、電動機１８により同一方向に同一角度だけ連動して動かす場合について説明したが、複数個のルーバーに対してそれぞれ電動機を設け、個別にルーバーを動かすようにしてもよいし、複数個のルーバーをグループ分けしてグループ別に電動機を設け、グループ別にルーバーを動かすようにしてもよい。
【００５５】
また、複数個のルーバーを連動して動かす場合に、別の複層ガラス本体の複数個のルーバーに対しても連動して動くようにしてもよい。例えば、複数の窓のそれぞれの複層ガラス本体のルーバーに対して、一つの操作でルーバーの開閉操作を行うようにする。この場合、複層ガラス本体ごとに個別にルーバーを動かす個別モードと、複数の複層ガラスを一括してルーバーを動かす連動モードとを用意し、操作パネル２３で個別モードと連動モードとを切り替えて、各々の複層ガラス本体のルーバーを動かすようにしてもよい。これにより、高所の窓の複層ガラス本体内のルーバーの操作も容易に行える。さらに、ホームオートメーションと連動させることにより、屋外から戸締まり・採光・発電が選択できるようにすることも可能である。
【００５６】
本発明の第１の実施の形態によれば、太陽電池セルを設置できる広い面積を確保できる場所として、最近多様化されている窓に着目し、太陽電池セルを複層ガラス本体内に収納されたブラインドのルーバーに装着し、ルーバーにデザイン選択の自由や戸締まり機能などを持たせるので、近代化している建物で省エネルギーと環境負荷低減との両立を実現できる。また、太陽電池セルの効率や室内への採光を考慮してルーバーの角度を制御するので、太陽光発電及び室内への採光の双方を適切に行うことができる。
【００５７】
（第２の実施の形態）
図１１は本発明の第２の実施の形態に係わるブラインド内蔵複層ガラス装置の全体構成図である。この第２の実施の形態は、図４に示した第１の実施の形態に対し、人感知センサ２５を追加して設け、制御装置２４の自動制御の種別として、設定値制御、最大値制御、二要素制御に加え、室内の人の居る場所を明るく制御する有人照度制御を追加して設けたものである。図４と同一要素には同一符号を付し重複する説明は省略する。
【００５８】
人感知センサ２５は室内の人の居る場所を検出し制御装置２４に入力する。制御装置２４は、操作パネル２３で自動制御の種別として有人照度制御が選択されているときは、人感知センサ２５で検出された人の居る場所が明るくなるように有人照度制御を行う。
【００５９】
図１２は本発明の第２の実施の形態における有人照度制御の内容を示すフローチャートである。まず、有人照度制御であるか否かを判定し（Ｓ１）、有人照度制御であるときは、人感知センサ２５が室内で人を検出しているか否か、つまり、室内に人が居るか否かを判定する（Ｓ２）。
【００６０】
室内に人が居る場合には、人の居る場所に最も近い場所の照度値Ｌａを読み込むとともにブラインドのルーバー角度θを読み込み記憶する（Ｓ３）。そして、ルーバー角度θを所定角度だけ変化させ（Ｓ４）、ルーバー１４は１回転したか否かを判定し（Ｓ５）、１回転していないときはステップＳ３の処理に戻る。すなわち、ルーバー１４が１回転するまでステップＳ３、Ｓ４の処理を繰り返し行い、変化させたルーバー角度θでの照度値Ｌａを記憶する。
【００６１】
ルーバー１４が１回転したときは、ルーバー１４が１回転して得られた各々のルーバー角度θでの照度値Ｌａのうちで、照度値Ｌａが最大値Ｌｍのときのルーバー角度θａでルーバー角度を固定する（Ｓ６）。これにより、現状の日照条件での照度値Ｌａは照度最大値Ｌｍとなる。
【００６２】
そして、日照条件が時間とともに変化することを考慮し、一定時間経過したか否かを判定する（Ｓ７）。この一定時間としては、日照条件の変化が想定される時間を設定する。一定時間を経過すると、有人照度制御が終了しているか否かを判定し（Ｓ８）、有人照度制御が終了していないときはステップＳ３に戻り、ステップＳ３〜Ｓ８の処理を繰り返し行う。これにより、日照条件の変化に追従した有人照度制御が可能となり、人の居る場所を明るくすることができる。
【００６３】
図１３は本発明の第２の実施の形態に係わるブラインド内蔵複層ガラス装置の他の一例を示す全体構成図である。図１１に示したものに対し、人感知センサ２５及び照度計２２に代えて、照度計２６を内蔵した照明器具２７の点消灯リモコン操作器２８を設け、制御装置２４は、点消灯リモコン操作器２８の照度計２６で検出された照度が最大値になるように前記ブラインドのルーバー角度を調整し、その照度が所定値以下のときは室内の照明器具２７を点灯させるようにしたものである。
【００６４】
図１４は、図１３に示した第２の実施の形態における有人照度制御の他の一例の内容を示すフローチャートである。まず、有人照度制御であるか否かを判定し（Ｓ１）、有人照度制御であるときは、照明器具２７の点消灯リモコン操作器２８に内蔵された照度計２６から照度値Ｌｂを読み込むとともにブラインドのルーバー角度θを読み込み記憶する（Ｓ２）。そして、ルーバー角度θを所定角度だけ変化させ（Ｓ３）、ルーバー１４は１回転したか否かを判定し（Ｓ４）、１回転していないときはステップＳ２の処理に戻る。すなわち、ルーバー１４が１回転するまでステップＳ２、Ｓ３の処理を繰り返し行い、変化させたルーバー角度θでの照度値Ｌｂを記憶する。
【００６５】
ルーバー１４が１回転したときは、ルーバー１４が１回転して得られた各々のルーバー角度θでの照度値Ｌｂのうちで、照度値Ｌｂが最大値Ｌｍのときのルーバー角度θｂでルーバー角度を固定する（Ｓ５）。これにより、現状の日照条件での照度値Ｌｂは照度最大値Ｌｍとなる。そして、そのときの照度値Ｌｂが規定値Ｌｒ以上であるかどうかを判定し（Ｓ６）、規定値Ｌｒ未満のときは照明器具２７を点灯する（Ｓ７）。これにより、人の居る場所を明るくすることができる。
【００６６】
ステップＳ６の判定で規定値Ｌｒ以上のとき、またはステップＳ７の処理の次に、日照条件が時間とともに変化することを考慮し、一定時間経過したか否かを判定する（Ｓ８）。そして、一定時間を経過すると、有人照度制御が終了しているか否かを判定し（Ｓ９）、有人照度制御が終了していないときはステップＳ２に戻り、ステップＳ２〜Ｓ９の処理を繰り返し行う。これにより、日照条件の変化に追従した有人照度制御が可能となり、人の居る場所を明るくすることができる。
【００６７】
本発明の第２の実施の形態によれば、人の居ることを検知する人感知センサあるいは人が携帯する機器で人の居る場所を認識し、照度計で人の居る場所の照度が大きくなるように制御できるので、人の居る場所を明るくすることができる。
【図面の簡単な説明】
【００６８】
【図１】本発明の第１の実施の形態に係わるブラインド内蔵複層ガラス装置の断面図。
【図２】本発明の第１の実施の形態に係わるブラインド内蔵複層ガラス装置の正面図。
【図３】本発明の第１の実施の形態におけるルーバーの断面図。
【図４】本発明の第１の実施の形態に係わるブラインド内蔵複層ガラス装置の全体構成図。
【図５】本発明の第１の実施の形態における制御装置の処理内容を示すフローチャート。
【図６】ブラインドのルーバーを下方に巻き下げた状態を示すブラインド内蔵複層ガラス装置の断面図。
【図７】ブラインドのルーバーを雨戸やカーテン代わりに使用した状態を示すブラインド内蔵複層ガラス装置の断面図。
【図８】図５のステップＳ３の設定値制御の内容を示すフローチャート。
【図９】図５のステップＳ５の最大値制御の内容を示すフローチャート。
【図１０】図５のステップＳ７の二要素制御の内容を示すフローチャート。
【図１１】本発明の第２の実施の形態に係わるブラインド内蔵複層ガラス装置の全体構成図。
【図１２】本発明の第２の実施の形態における有人照度制御の内容を示すフローチャート。
【図１３】本発明の第２の実施の形態に係わるブラインド内蔵複層ガラス装置の他の一例を示す全体構成図。
【図１４】図１３に示した第２の実施の形態における有人照度制御の他の一例の内容を示すフローチャート。
【符号の説明】
【００６９】
１１…枠体、１２…ガラス、１３…中空部、１４…ルーバー、１５…回動軸、１６…太陽電池セル、１７…採光面部、１８…電動機、１９…駆動機構、２０…電力計、２１…フィルター、２２…照度計、２３…操作パネル、２４…制御装置、２５…人感知センサ、２６…照度計、２７…照明器具、２８…点消灯リモコン操作器
【図１】
2007231613.tif 000003
【図２】
2007231613.tif 000004
【図３】
2007231613.tif 000005
【図４】
2007231613.tif 000006
【図５】
2007231613.tif 000007
【図６】
2007231613.tif 000008
【図７】
2007231613.tif 000009
【図８】
2007231613.tif 000010
【図９】
2007231613.tif 000011
【図１０】
2007231613.tif 000012
【図１１】
2007231613.tif 000013
【図１２】
2007231613.tif 000014
【図１３】
2007231613.tif 000015
【図１４】
2007231613.tif 000016